(57)【要約】      （修正有）【課題】浴槽入浴中に岩盤浴に匹敵する温浴効果を得る。【解決手段】浴槽中に設置して温浴効果の向上を図るための構造体に、ブラックシリカを練混或いは付着させたものを用いるという簡便な方法によって、非常に大きな温浴効果が家庭の浴槽等においても得られ、健康増進や痩身に著効を現し、健康器具としての需要は大である。特に入浴時に同時に岩盤浴も行っていると同様の非常に大きな温浴効果により発汗を促し、美容と健康に与って効果があり、以って産業に多大なる貢献をする事が出来る。【選択図】図１
0003118524.tif 000002
【実用新案登録請求の範囲】
【請求項１】
浴槽中に設置して温浴効果の向上を図るための構造体であって、該構造体は少なくともブラックシリカを練混或いは付着させた材料より成り、これを矩体或いは椅子状の形状に成型してなる事を特徴とする浴槽設置体。
【請求項２】
浴槽中に設置して温浴効果の向上を図るための構造体であって、該構造体は少なくともブラックシリカを練混或いは付着させた材料より成り、これを矩体或いは椅子状の形状に成型し、さらに少なくとも座面にあたる上面を平滑にしてなる事を特徴とする請求項１記載の浴槽設置体。
【請求項３】
浴槽中に設置して温浴効果の向上を図るための構造体であって、該構造体は少なくともブラックシリカを練混或いは付着させた材料より成り、これを略矩体の形状に成型し、さらに木製或いはプラスチック製の容器に収納してなる事を特徴とする請求項１記載の浴槽設置体。
【考案の詳細な説明】
【技術分野】
【０００１】
本発明は、主に浴槽中に設置して温浴効果の向上を図るための構造体に関するものである。
【背景技術】
【０００２】
従来より、ブラックシリカがその遠赤外線効果等により岩盤浴等に活用され、非常に温浴効果が高いものであることは広く知られている。また、その効果を浴室の壁材などに活用することが、下記実用新案により開示されている。
【特許文献１】実登３１０９３３２号公報
【考案の開示】
【考案が解決しようとする課題】
【０００３】
しかし、従来の方法によっては、肝心の浴槽入浴中にその温浴効果を増大する効果は得られていなかった。
【課題を解決するための手段】
【０００４】
本考案は、浴槽中に設置して温浴効果の向上を図るための構造体に、ブラックシリカを練混或いは付着させたものを用いたことを最も主要な特徴とする。
【考案の効果】
【０００５】
本考案は、海浴槽中に設置して温浴効果の向上を図るための構造体であって、該構造体は少なくともブラックシリカを練混或いは付着させた材料より成り、これを浴槽中に沈潜せしめ、これに腰掛けて入浴することにより非常に大きな温浴効果を得るものである。
前記の方法を用いる事により、簡便な方法によって非常に大きな温浴効果が家庭の浴槽等においても得られ、健康増進や痩身に著効を現し、健康器具としての需要は大であって、以って産業に多大なる貢献をする事が出来るものである。
【考案を実施するための最良の形態】
【０００６】
浴槽中に設置して温浴効果の向上を図るための構造体であって、該構造体は少なくともブラックシリカを練混或いは付着させた材料より成り、これを矩体或いは椅子状の形状に成型し、座面にあたる上面を平滑にして浴槽中に沈潜せしめ、これに腰掛けて入浴することにより非常に大きな温浴効果を得る。或いは、これを略矩体の形状に成型し、さらに木製或いはプラスチック製の容器に収納して浴槽中に沈潜せしめ、これに腰掛けて入浴することにより非常に大きな温浴効果を得る。
【実施例１】
【０００７】
図１は、本考案の１実施例の略図である。本実施例では、一般に用いられている原料コンクリート中に予めブラックシリカの粉末を練混し、これを椅子状の形状の型枠に流入固化させることにより製造したブラックシリカ含有コンクリートブロック状構造体を作成し、さらに座面を平滑に研磨し、これを浴槽中に設置して用いた。ここで、図中１１は椅子状構造体、１２はこれに練混されたブラックシリカ粉末を示す。
【０００８】
ここで、ブラックシリカが温浴効果に与える影響について述べる。ブラックシリカは、遠赤外線放出などの特徴的な効果を示し、これを利用して 磁気治療器としての利用（特開２００３−２１０５９２号公報）や浴場用、室内用タイルとしての利用（特開２００４−３５３４２４号公報）などが提案されている。
【０００９】
特に、最近は岩盤浴の材料として非常に有用であることは衆目の一致するところとなっている。そこで筆者らはこれを一般的な家庭等においても応用し、健康増進に役立てようと鋭意検討し、本発明に至ったものである。
【００１０】
本実施例では、まず椅子状の形状の型枠を用意し、これに流し入れて固化成型する生コンクリートに、ブラックシリカを粉砕したものを重量比で２％程度添加して練混したものを用いた。ここで、ブラックシリカの添加量は多い方が温浴効果が高く、添加量を本実施例のレベルに制限するものではないが、ブラックシリカは高価な材料であり、数％程度を混入するのが適当である。
【００１１】
前記のようにして形成したブラックシリカ入り椅子状コンクリート構造体を、座面にあたる上面および浴槽に接触する脚部を研磨してから浴槽中に沈潜させ設置を行った。ここで、本実施例に於いては椅子状の形状を用いたが、本発明はその形状やサイズに規制されるものではなく、さまざまな形状やサイズで同様の効果を得ることが出来る。
【００１２】
本発明の方法によって形成された構造体は、簡便な方法によって非常に大きな温浴効果が家庭の浴槽等においても得られ、健康増進や痩身に著効を現し、健康器具としての需要は大であった。特に入浴時に同時に岩盤浴も行っていると同様の非常に大きな温浴効果により発汗を促し、美容と健康に与って効果があり、以って産業に多大なる貢献をする事が出来るものであった。
【実施例２】
【００１３】
次に、本考案に係る他の実施の形態として、成型する際ににブラックシリカを混入するのではなく、型枠表面に予めブラックシリカ粉末を配置して材料の流入を行い、主に表面にブラックシリカ粉末が配置された構造体を得た。
【００１４】
本実施例の方法によれば、高価なブラックシリカ材料を効果的に構造体表面に配設することが出来、低コストで有効な浴槽設置体を得ることが出来た。
【実施例３】
【００１５】
次に、本考案に係る他の実施の形態として、まず一般的なブロックの形状の型枠を用意し、これに流し入れて固化成型する生コンクリートに、ブラックシリカを粉砕したものを重量比で２％程度添加して練混したものを用いた。なお、本実施例の方法を用いる場合は、型の形状は略矩形であれば問題ないが、本実施例では一般に広く用いられておりコストの安いブロック型枠を用いた。
【００１６】
前記のブロック型構造体を、本実施例では桧材を用いて作成した箱に収めて浴槽内に設置した。これによって、桧の木材から発する香りの効果も相俟って、リラックス出来且つ温浴効果の高い入浴が可能となった。ここで、外箱として用いる材料は本実施例の桧材を含む木材に限定されるものではなく、プラスチック等の他の材質であっても問題ない。
【００１７】
ここで、図２は本考案にかかる浴槽設置体の使用の概念を表す図である。なお、形態は実施例２にかかるものを示している。ここで、２１はブラックシリカを含む略矩形の構造体、２２は該構造体を収納した桧製の外箱、２３は浴槽を示す。入浴の際には浴槽に湯を張り、外箱２２に腰掛けて入浴する。これにより、内部のブラックシリカを含む構造体から発する遠赤外線等の効果により、一般の入浴と岩盤浴を同時に実施するような温熱効果が得られ、健康増進や痩身に著効を示すものであった。
【産業上の利用可能性】
【００１８】
本考案の方法を用いる事により、簡便な方法によって非常に大きな温浴効果が家庭の浴槽等においても得られ、健康増進や痩身に著効を現し、健康器具としての需要は大であって、以って産業に多大なる貢献をする事が出来るものである。
【図面の簡単な説明】
【００１９】
【図１】本考案にかかる構造体の一例を示す略図である。（実施例１）
【図２】本考案にかかる構造体およびその使用方法の一例を示す略図である。（実施例３）
【符号の説明】
【００２０】
１１    本考案にかかる構造体
１２    混入されたブラックシリカ
２１    ブラックシリカを含む略矩形の構造体
２２    構造体を収納した桧製の外箱
２３    浴槽
【図１】
0003118524.tif 000003
【図２】
0003118524.tif 000004